(57)【要約】【課題】断裁後の用紙の仕分けを容易に行うことのできる画像処理装置、画像形成装置、画像処理装置の制御プログラム、および画像形成装置の制御プログラムを提供する。【解決手段】ＭＦＰ（Ｍｕｌｔｉｆｕｎｃｔｉｏｎ  Ｐｅｒｉｐｈｅｒａｌ）１００は、複数種類の画像を用紙に印刷し、印刷後に断裁を行うことにより複数種類の画像の各々を得る印刷方法に用いられる画像処理装置である。ＭＦＰ１００は、複数種類の画像の各々に対応するマークを断裁予定位置に配置するマーク付与部１０９ｂを備える。【選択図】図１
2018126891.tif 000002
【特許請求の範囲】
【請求項１】
複数種類の画像を用紙に印刷し、印刷後に断裁を行うことにより前記複数種類の画像の各々を得る印刷方法に用いられる画像処理装置であって、
前記複数種類の画像の各々に対応するマークを断裁予定位置に配置する配置手段を備えた、画像処理装置。
【請求項２】
１枚の用紙における一方の面内に、前記複数種類の画像の各々の画像を形成するための領域である区分領域を割り付ける面付け処理を行う面付け手段をさらに備え、
前記配置手段は、前記１枚の用紙における前記一方の面内または他方の面内のうち少なくともいずれか一方の前記断裁予定位置に前記マークを配置する、請求項１に記載の画像処理装置。
【請求項３】
前記マークは、前記複数種類の画像の各々の前記区分領域における略同一の位置に設けられ、前記複数種類の画像の各々の前記区分領域から、前記断裁予定位置を跨いで前記複数種類の画像の各々の前記区分領域と隣接する別の前記区分領域に到達する、請求項２に記載の画像処理装置。
【請求項４】
前記面付け手段は、断裁によって現れた用紙の新たな辺が、前記新たな辺を含む複数の前記区分領域の各々における同じ位置となるように、前記区分領域を割り付ける、請求項３に記載の画像処理装置。
【請求項５】
前記複数種類の画像の各々を形成するための領域である前記複数種類の画像の各々の区分領域を、１枚の用紙に１つずつ割り付ける面付け処理を行う面付け手段をさらに備えた、請求項１に記載の画像処理装置。
【請求項６】
前記区分領域は、画像が配置される画像領域と、前記画像領域の外周に設けられた外周領域とを含み、
前記配置手段は、前記外周領域に前記マークを配置する、請求項２〜５のいずれかに記載の画像処理装置。
【請求項７】
前記配置手段は、前記外周領域から前記画像領域を断裁により切り離すための前記断裁予定位置を示す指標に前記マークを配置する、請求項６に記載の画像処理装置。
【請求項８】
前記配置手段は、第１の方向への断裁により前記画像領域を前記外周領域から切り離すための前記断裁予定位置と、前記第１の方向と直交する第２の方向への断裁により前記画像領域を前記外周領域から切り離すための前記断裁予定位置との両方に前記マークを配置する、請求項７に記載の画像処理装置。
【請求項９】
前記マークは、前記複数種類の画像の各々によって、位置、色、形状、および存在の有無のうち少なくともいずれか１つが互いに異なる、請求項１〜８のいずれかに記載の画像処理装置。
【請求項１０】
複数種類の画像を用紙に印刷し、印刷後に断裁を行うことにより前記複数種類の画像の各々を得る印刷方法に用いられる画像形成装置であって、
前記複数種類の画像の入力を受け付ける受付手段と、
前記受付手段にて入力を受け付けた前記複数種類の画像の各々に対応するマークを断裁予定位置に配置した画像を形成する画像形成手段とを備えた、画像形成装置。
【請求項１１】
１枚の用紙における一方の面内に、前記複数種類の画像の各々の画像を形成するための領域である区分領域を割り付ける面付け処理を行う面付け手段をさらに備え、
前記画像形成手段は、前記１枚の用紙における前記一方の面内または他方の面内のうち少なくともいずれか一方の前記断裁予定位置に前記マークを配置した画像を形成する、請求項１０に記載の画像形成装置。
【請求項１２】
前記区分領域は、画像が形成される画像領域と、前記画像領域の外周に設けられた外周領域とを含み、
前記画像形成手段は、前記外周領域に前記マークを配置した画像を形成する、請求項１１に記載の画像形成装置。
【請求項１３】
前記画像形成手段は、前記外周領域から前記画像領域を断裁により切り離すための前記断裁予定位置を示す指標に前記マークを配置した画像を形成する、請求項１２に記載の画像形成装置。
【請求項１４】
複数種類の画像を用紙に印刷し、印刷後に断裁を行うことにより前記複数種類の画像の各々を得る印刷方法に用いられる画像処理装置の制御プログラムであって、
前記複数種類の画像の各々に対応するマークを断裁予定位置に配置する配置ステップをコンピューターに実行させる、画像処理装置の制御プログラム。
【請求項１５】
１枚の用紙における一方の面内に、前記複数種類の画像の各々の画像を形成するための領域である区分領域を割り付ける面付け処理を行う面付けステップをさらにコンピューターに実行させ、
前記配置ステップにおいて、前記１枚の用紙における前記一方の面内または他方の面内のうち少なくともいずれか一方の前記断裁予定位置に前記マークを配置する、請求項１４に記載の画像処理装置の制御プログラム。
【請求項１６】
前記区分領域は、画像が形成される画像領域と、前記画像領域の外周に設けられた外周領域とを含み、
前記配置ステップにおいて、前記外周領域に前記マークを配置する、請求項１５に記載の画像処理装置の制御プログラム。
【請求項１７】
前記配置ステップにおいて、前記外周領域から前記画像領域を断裁により切り離すための前記断裁予定位置を示す指標に前記マークを配置する、請求項１６に記載の画像処理装置の制御プログラム。
【請求項１８】
複数種類の画像を用紙に印刷し、印刷後に断裁を行うことにより前記複数種類の画像の各々を得る印刷方法に用いられる画像形成装置の制御プログラムであって、
前記複数種類の画像の入力を受け付ける受付ステップと、
前記受付ステップにて入力を受け付けた前記複数種類の画像の各々に対応するマークを断裁予定位置に配置した画像を形成する画像形成ステップとをコンピューターに実行させる、画像形成装置の制御プログラム。
【請求項１９】
１枚の用紙における一方の面内に、前記複数種類の画像の各々の画像を形成するための領域である区分領域を割り付ける面付け処理を行う面付けステップをさらにコンピューターに実行させ、
前記画像形成ステップにおいて、前記１枚の用紙における前記一方の面内または他方の面内のうち少なくともいずれか一方の前記断裁予定位置に前記マークを配置した画像を形成する、請求項１８に記載の画像形成装置の制御プログラム。
【請求項２０】
前記区分領域は、画像が形成される画像領域と、前記画像領域の外周に設けられた外周領域とを含み、
前記画像形成ステップにおいて、前記外周領域に前記マークを配置した画像を形成する、請求項１９に記載の画像形成装置の制御プログラム。
【請求項２１】
前記画像形成ステップにおいて、前記外周領域から前記画像領域を断裁により切り離すための前記断裁予定位置を示す指標に前記マークを配置した画像を形成する、請求項２０に記載の画像形成装置の制御プログラム。
【発明の詳細な説明】
【技術分野】
【０００１】
本発明は、画像処理装置、画像形成装置、画像処理装置の制御プログラム、および画像形成装置の制御プログラムに関する。より特定的には、本発明は、複数種類の画像を用紙に印刷し、印刷後に断裁を行うことにより複数種類の画像の各々を得る印刷方法に用いられる画像処理装置、画像形成装置、画像処理装置の制御プログラム、および画像形成装置の制御プログラムに関する。
【背景技術】
【０００２】
電子写真式の画像形成装置には、スキャナー機能、ファクシミリ機能、複写機能、プリンターとしての機能、データ通信機能、およびサーバー機能を備えたＭＦＰ（Ｍｕｌｔｉ  Ｆｕｎｃｔｉｏｎ  Ｐｅｒｉｐｈｅｒａｌ）、ファクシミリ装置、複写機、プリンターなどがある。
【０００３】
１枚の用紙に複数種類の画像を割り付けた画像、または１枚の用紙に複数種類の画像の各々を１つずつ割り付けた画像を印刷し、後処理として印刷後の断裁を行うことで、複数種類の画像の各々を所望の形で得る印刷方法が存在する。
【０００４】
複数種類の画像を区別するための技術は、たとえば下記特許文献１〜４などに開示されている。下記特許文献１には、割当部、イメージ合成部、バッファメモリなどが備えたプリンターが開示されている。インデックス処理モードが選択されると、割当部によって図柄データがジョブデータに割り当てられる。ジョブデータからは印刷画像データなどが解析され、印刷画像データと図柄データとがイメージ合成部で合成される。合成されて新しく生成された印刷画像データはバッファメモリに展開される。プリントエンジンはこのバッファメモリに展開された印刷画像をもとに印刷を実行し、印刷用紙の縁にはジョブごとに異なった図柄が印刷される。
【０００５】
下記特許文献２には、複数の用紙に印刷を行う際に、複数の用紙の各用紙の端部に素数コード画像を印刷する画像形成装置が開示されている。素数コード画像は、それぞれ、紙端の延在方向に連続する予め定められた数の領域のうちいずれか一の領域を黒色、他の領域を白色で再現した画像である。画像形成装置は、素数コード画像のそれぞれにおいて、各用紙の印刷順に、黒色として再現する領域をＸ方向に順次シフトさせて印刷を行い、用紙束の側面に繰り返し模様を形成する。
【０００６】
下記特許文献３には、操作パネルを使って印字を行う用紙の１枚あたりの厚みデータと、用紙サイズデータと、印刷枚数データとを入力する画像形成装置が開示されている。この画像形成装置は、用紙束の側面に可視化させる側面画像データを読み出し、側面画像データを印刷枚数でライン分割し、その分割された分割側面画像データ毎にインデックス値を付与して保存する。画像形成装置は、用紙束の側面に印字する画像形成イメージを生成し、イメージ通りでなければ拡大／縮小処理を行い、イメージ通りであれば、印刷元画像を入力し、側面画像データの印刷位置を決定して、通常画像データと側面画像データとを統合させ、通常の印字ヘッドを使って印刷する。
【０００７】
下記特許文献４には、連続用紙の幅よりも狭い幅の画像を連続用紙の搬送方向に複数並べて配置するジョブを複数受け付け、受け付けた複数のジョブの画像データを連続用紙の幅方向に並べて配置するとともに、隣接するジョブ間の領域に、搬送方向に延在する帯状画像を配置する印刷装置が開示されている。この印刷装置では、複数のジョブの画像と帯状画像とが連続用紙上に印刷され、印刷した連続用紙は、ジョブ毎に分割するため搬送方向に沿って帯状画像を跨ぐように断裁される。
【先行技術文献】
【特許文献】
【０００８】
【特許文献１】特開２００７−１１８２２１号公報
【特許文献２】特開２００９−１２４４７２号公報
【特許文献３】特開２００７−１８１９９２号公報
【特許文献４】特開２０１６−１２４２３６号公報
【発明の概要】
【発明が解決しようとする課題】
【０００９】
印刷後の用紙に印刷されている画像は用紙毎に異なっている。このため、断裁後に画像毎に用紙の仕分けを行う際には、印刷後の用紙を１枚ずつめくりながら、印刷されている画像を目視にて確認する必要があり、煩雑であった。
【００１０】
本発明は、上記課題を解決するためのものであり、その目的は、断裁後の用紙の仕分けを容易に行うことのできる画像処理装置、画像形成装置、画像処理装置の制御プログラム、および画像形成装置の制御プログラムを提供することである。
【課題を解決するための手段】
【００１１】
本発明の一の局面に従う画像処理装置は、複数種類の画像を用紙に印刷し、印刷後に断裁を行うことにより複数種類の画像の各々を得る印刷方法に用いられる画像処理装置であって、複数種類の画像の各々に対応するマークを断裁予定位置に配置する配置手段を備える。
【００１２】
上記画像処理装置において好ましくは、１枚の用紙における一方の面内に、複数種類の画像の各々の画像を形成するための領域である区分領域を割り付ける面付け処理を行う面付け手段をさらに備え、配置手段は、１枚の用紙における一方の面内または他方の面内のうち少なくともいずれか一方の断裁予定位置にマークを配置する。
【００１３】
上記画像処理装置において好ましくは、マークは、複数種類の画像の各々の区分領域における略同一の位置に設けられ、複数種類の画像の各々の区分領域から、断裁予定位置を跨いで複数種類の画像の各々の区分領域と隣接する別の区分領域に到達する。
【００１４】
上記画像処理装置において好ましくは、面付け手段は、断裁によって現れた用紙の新たな辺が、新たな辺を含む複数の区分領域の各々における同じ位置となるように、区分領域を割り付ける。
【００１５】
上記画像処理装置において好ましくは、複数種類の画像の各々を形成するための領域である複数種類の画像の各々の区分領域を、１枚の用紙に１つずつ割り付ける面付け処理を行う面付け手段をさらに備える。
【００１６】
上記画像処理装置において好ましくは、区分領域は、画像が配置される画像領域と、画像領域の外周に設けられた外周領域とを含み、配置手段は、外周領域にマークを配置する。
【００１７】
上記画像処理装置において好ましくは、配置手段は、外周領域から画像領域を断裁により切り離すための断裁予定位置を示す指標にマークを配置する。
【００１８】
上記画像処理装置において好ましくは、配置手段は、第１の方向への断裁により画像領域を外周領域から切り離すための断裁予定位置と、第１の方向と直交する第２の方向への断裁により画像領域を外周領域から切り離すための断裁予定位置との両方にマークを配置する。
【００１９】
上記画像処理装置において好ましくは、マークは、複数種類の画像の各々によって、位置、色、形状、および存在の有無のうち少なくともいずれか１つが互いに異なる。
【００２０】
本発明の他の局面に従う画像形成装置は、複数種類の画像を用紙に印刷し、印刷後に断裁を行うことにより複数種類の画像の各々を得る印刷方法に用いられる画像形成装置であって、複数種類の画像の入力を受け付ける受付手段と、受付手段にて入力を受け付けた複数種類の画像の各々に対応するマークを断裁予定位置に配置した画像を形成する画像形成手段とを備える。
【００２１】
上記画像形成装置において好ましくは、１枚の用紙における一方の面内に、複数種類の画像の各々の画像を形成するための領域である区分領域を割り付ける面付け処理を行う面付け手段をさらに備え、画像形成手段は、１枚の用紙における一方の面内または他方の面内のうち少なくともいずれか一方の断裁予定位置にマークを配置した画像を形成する。
【００２２】
上記画像形成装置において好ましくは、区分領域は、画像が形成される画像領域と、画像領域の外周に設けられた外周領域とを含み、画像形成手段は、外周領域にマークを配置した画像を形成する。
【００２３】
上記画像形成装置において好ましくは、画像形成手段は、外周領域から画像領域を断裁により切り離すための断裁予定位置を示す指標にマークを配置した画像を形成する。
【００２４】
本発明のさらに他の局面に従う画像処理装置の制御プログラムは、複数種類の画像を用紙に印刷し、印刷後に断裁を行うことにより複数種類の画像の各々を得る印刷方法に用いられる画像処理装置の制御プログラムであって、複数種類の画像の各々に対応するマークを断裁予定位置に配置する配置ステップをコンピューターに実行させる。
【００２５】
上記画像処理装置の制御プログラムにおいて好ましくは、１枚の用紙における一方の面内に、複数種類の画像の各々の画像を形成するための領域である区分領域を割り付ける面付け処理を行う面付けステップをさらにコンピューターに実行させ、配置ステップにおいて、１枚の用紙における一方の面内または他方の面内のうち少なくともいずれか一方の断裁予定位置にマークを配置する。
【００２６】
上記画像処理装置の制御プログラムにおいて好ましくは、区分領域は、画像が形成される画像領域と、画像領域の外周に設けられた外周領域とを含み、配置ステップにおいて、外周領域にマークを配置する。
【００２７】
上記画像処理装置の制御プログラムにおいて好ましくは、配置ステップにおいて、外周領域から画像領域を断裁により切り離すための断裁予定位置を示す指標にマークを配置する。
【００２８】
本発明のさらに他の局面に従う画像形成装置の制御プログラムは、複数種類の画像を用紙に印刷し、印刷後に断裁を行うことにより複数種類の画像の各々を得る印刷方法に用いられる画像形成装置の制御プログラムであって、複数種類の画像の入力を受け付ける受付ステップと、受付ステップにて入力を受け付けた複数種類の画像の各々に対応するマークを断裁予定位置に配置した画像を形成する画像形成ステップとをコンピューターに実行させる。
【００２９】
上記画像形成装置の制御プログラムにおいて好ましくは、１枚の用紙における一方の面内に、複数種類の画像の各々の画像を形成するための領域である区分領域を割り付ける面付け処理を行う面付けステップをさらにコンピューターに実行させ、画像形成ステップにおいて、１枚の用紙における一方の面内または他方の面内のうち少なくともいずれか一方の断裁予定位置にマークを配置した画像を形成する。
【００３０】
上記画像形成装置の制御プログラムにおいて好ましくは、区分領域は、画像が形成される画像領域と、画像領域の外周に設けられた外周領域とを含み、画像形成ステップにおいて、外周領域にマークを配置した画像を形成する。
【００３１】
上記画像形成装置の制御プログラムにおいて好ましくは、画像形成ステップにおいて、外周領域から画像領域を断裁により切り離すための断裁予定位置を示す指標にマークを配置した画像を形成する。
【発明の効果】
【００３２】
本発明によれば、断裁後の用紙の仕分けを容易に行うことのできる画像処理装置、画像形成装置、画像処理装置の制御プログラム、および画像形成装置の制御プログラムを提供することができる。
【図面の簡単な説明】
【００３３】
【図１】本発明の第１の実施の形態におけるＭＦＰ１００の構成を示す断面図である。
【図２】本発明の第１の実施の形態においてＭＦＰ１００が受け付ける印刷ジョブの内容を観念的に示す図である。
【図３】本発明の第１の実施の形態において、画像ＩＭａ、ＩＭｂ、ＩＭｃ、およびＩＭｄを用紙に面付けることにより作成された面付けパターンＰＡ１、ＰＡ２、およびＰＡ３を示す図である。
【図４】本発明の第１の実施の形態における面付けパターンＰＡ１の断裁予定位置を示す図である。
【図５】本発明の第１の実施の形態における画像ＩＭａ、ＩＭｂ、ＩＭｃ、およびＩＭｄの各々に対応するマークを示す図である。
【図６】本発明の第１の実施の形態において、マークが配置された後の面付けパターンＰＡ１ａ、ＰＡ２ａ、およびＰＡ３ａを模式的に示す図である。
【図７】本発明の第１の実施の形態において、面付けパターンＰＡ１ａが印刷された用紙ＳＨ１、面付けパターンＰＡ２ａが印刷された用紙ＳＨ２、および面付けパターンＰＡ３ａが印刷された用紙ＳＨ３を積み重ねた状態で、線ＬＮ２で断裁したものの断裁面を示す図である。
【図８】本発明の第２の実施の形態において、トンボ上にマークが配置された後の面付けパターンＰＡ１ｂを模式的に示す図である。
【図９】本発明の第２の実施の形態において、面付けパターンＰＡ１ｂを印刷した後、線ＬＮ１およびＬＮ用紙を積み重ねた状態で、図８中線ＬＮ１１およびＬＮ１２で断裁したものの断裁面を示す図である。
【図１０】本発明の第３の実施の形態において、画像ＩＭａ、ＩＭｂ、ＩＭｃ、およびＩＭｄを用紙に面付けることにより作成された面付けパターンＰＡ１１、ＰＡ１２、ＰＡ１３、およびＰＡ１４を示す図である。
【図１１】第１〜第３の実施の形態におけるＭＦＰ１００の動作のフローチャートである。
【発明を実施するための形態】
【００３４】
以下、本発明の実施の形態について、図面に基づいて説明する。
【００３５】
以下の実施の形態では、画像処理装置および画像形成装置がＭＦＰである場合について説明する。画像形成装置はＭＦＰである場合の他、プリンター、複写機、またはファクシミリなどであってもよい。画像処理装置は、ＭＦＰ以外の画像形成装置であってもよいし、ＰＣ（Ｐｅｒｓｏｎａｌ  Ｃｏｍｐｕｔｅｒ）やスマートフォンなどであってもよい。また、以下の実施の形態では、チラシやはがきなどの画像を商業的に印刷する状況でＭＦＰが使用されることを前提としているが、オフィス内での印刷や個人による印刷などを行う状況でＭＦＰが使用されることを前提としてもよい。
【００３６】
［第１の実施の形態］
始めに、本実施の形態における画像形成装置の構成について説明する。
【００３７】
図１は、本発明の第１の実施の形態におけるＭＦＰ１００の構成を示す断面図である。
【００３８】
図１を参照して、本実施の形態におけるＭＦＰ１００（画像処理装置および画像形成装置の一例）は、複数種類の画像を用紙に印刷し、印刷後に断裁を行うことにより複数種類の画像の各々を得る印刷方法に用いられる。ＭＦＰ１００は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、画像読取部１０４と、ネットワークインターフェース１０５と、操作パネル１０６と、補助記憶装置１０７と、画像形成部１０８と、画像処理部１０９などを備えている。ＣＰＵ１０１と、ＲＯＭ１０２、ＲＡＭ１０３、画像読取部１０４、ネットワークインターフェース１０５、操作パネル１０６、補助記憶装置１０７、画像形成部１０８、および画像処理部１０９の各々とは、バスなどで相互に接続されている。
【００３９】
ＣＰＵ１０１は、制御プログラムに従って動作し、ＭＦＰ１００全体を制御する。
【００４０】
ＲＯＭ１０２は、制御プログラムを記憶している。
【００４１】
ＲＡＭ１０３は、ＣＰＵ１０１の作業用のメモリであり、各種データを一時的に保存する。
【００４２】
画像読取部１０４は、原稿の画像を読み取る。
【００４３】
ネットワークインターフェース１０５は、ネットワーク（図示無し）を通じてＭＦＰ１００と接続された外部機器との間で、情報の送受信を行う。
【００４４】
操作パネル１０６は、各種情報を表示し、印刷ジョブの入力などの各種操作を受け付ける。
【００４５】
補助記憶装置１０７は、たとえばＨＤＤ（Ｈａｒｄ  Ｄｉｓｋ  Ｄｒｉｖｅ）であり、画像読取部１０４で読み取った画像のデータなどの各種データを記憶する。
【００４６】
画像形成部１０８（画像形成手段の一例）は、ＭＦＰ１００の筐体の内部で用紙に印刷を行う。画像形成部１０８は、おおまかに、トナー像形成部、定着装置、および用紙搬送部などで構成される。画像形成部１０８は、たとえば電子写真方式で用紙に画像を形成する。トナー像形成部は、いわゆるタンデム方式で４色の画像を合成し、用紙にカラー画像を形成する。トナー像形成部は、Ｃ（シアン）、Ｍ（マゼンタ）、Ｙ（イエロー）、Ｋ（ブラック）の各色について設けられた感光体と、感光体からトナー像が転写（１次転写）される中間転写ベルトと、中間転写ベルトから用紙に画像を転写（２次転写）する転写部などで構成される。定着装置は、加熱ローラーおよび加圧ローラーを有する。定着装置は、加熱ローラーと加圧ローラーとでトナー像が形成された用紙を挟みながら搬送し、その用紙に加熱および加圧を行う。これにより、定着装置は、用紙に付着したトナーを溶融させて用紙に定着させ、用紙に画像を形成する。用紙搬送部は、給紙ローラー、搬送ローラー、およびそれらを駆動するモーターなどで構成されている。用紙搬送部は、用紙を給紙カセットから給紙して、ＭＦＰ１００の筐体の内部で搬送する。また、用紙搬送部は、ＭＦＰ１００の筐体の内部で印刷した用紙を、ＭＦＰ１００の筐体の外部に排出する。
【００４７】
画像処理部１０９は、印刷ジョブの画像や画像読取部１０４で読み取った画像などを補正する。画像処理部１０９は、面付け部１０９ａ（面付け手段の一例）と、マーク付与部１０９ｂ（配置手段の一例）とを含んでいる。面付け部１０９ａは、複数種類の画像を印刷する場合に、画像データ上における用紙の面内に、複数種類の画像の各々の画像を形成するための領域である区分領域を割り付ける。マーク付与部１０９ｂは、複数種類の画像を印刷する場合に、画像データ上において、複数種類の画像の各々に対応するマークを断裁予定位置に配置する。
【００４８】
続いて、本実施の形態におけるＭＦＰ１００の動作について説明する。
【００４９】
図２は、本発明の第１の実施の形態においてＭＦＰ１００が受け付ける印刷ジョブの内容を観念的に示す図である。
【００５０】
図２を参照して、ＭＦＰ１００は、操作パネル１０６や外部機器を通じてユーザーから所定時間内に複数の印刷ジョブＪＡ、ＪＢ、ＪＣ、およびＪＤの入力を受け付ける。印刷ジョブＪＡは、「Ａ」という文字の画像ＩＭａを１５０部印刷するジョブである。印刷ジョブＪＢは、「Ｂ」という文字の画像ＩＭｂを１２０部印刷するジョブである。印刷ジョブＪＣは、「Ｃ」という文字の画像ＩＭｃを８０部印刷するジョブである。印刷ジョブＪＤは、「Ｄ」という文字の画像ＩＭｄを５０部印刷するジョブである。画像ＩＭａ、ＩＭｂ、ＩＭｃ、およびＩＭｄは、互いに異なる種類（デザイン）の画像である。
【００５１】
ＭＦＰ１００は、所定の時間内に複数の印刷ジョブＪＡ、ＪＢ、ＪＣ、およびＪＤを受け付けた場合、複数の印刷ジョブＪＡ、ＪＢ、ＪＣ、およびＪＤの画像ＩＭａ、ＩＭｂ、ＩＭｃ、およびＩＭｄを用紙に面付けして（割り付けて）印刷するギャンギングを行う。
【００５２】
図３は、本発明の第１の実施の形態において、画像ＩＭａ、ＩＭｂ、ＩＭｃ、およびＩＭｄを用紙に面付けることにより作成された面付けパターンＰＡ１、ＰＡ２、およびＰＡ３を示す図である。
【００５３】
図３を参照して、ＭＦＰ１００は、１枚の用紙における表面内に、複数種類の画像の各々の区分領域を割り付ける面付け処理を行うことにより、面付けパターンＰＡ１、ＰＡ２、およびＰＡ３を作成する。
【００５４】
面付けパターンＰＡ１、ＰＡ２、およびＰＡ３の各々は、画像を形成するための領域である４つの区分領域ＲＧ１、ＲＧ２、ＲＧ３、およびＲＧ４を有している。区分領域ＲＧ１は用紙の表面内左上の領域であり、区分領域ＲＧ２は用紙の表面内左下の領域であり、区分領域ＲＧ３は用紙の表面内右上の領域であり、区分領域ＲＧ４は用紙の表面内右下の領域である。ＭＦＰ１００は、面付け処理として、面付けパターンＰＡ１、ＰＡ２、およびＰＡ３の各々の区分領域ＲＧ１、ＲＧ２、ＲＧ３、およびＲＧ４の各々に、画像ＩＭａ、ＩＭｂ、ＩＭｃ、またはＩＭｄを配置する（割り付ける）。
【００５５】
区分領域ＲＧ１、ＲＧ２、ＲＧ３、およびＲＧ４の各々は、画像ＩＭａ、ＩＭｂ、ＩＭｃ、またはＩＭｄが配置される領域である画像領域ＩＲ（区分領域中のハッチングで示された領域）と、画像領域の外周に設けられた外周領域ＰＲ（区分領域中の白地で示された領域）とを含んでいる。
【００５６】
面付けパターンＰＡ１に目を向けると、区分領域ＲＧ１は、画像ＩＭａが割り付けられた区分領域となっている。区分領域ＲＧ１の画像領域ＩＲには画像ＩＭａが正立した状態で配置されている。区分領域ＲＧ２は、画像ＩＭｂが割り付けられた区分領域となっている。区分領域ＲＧ２の画像領域ＩＲには画像ＩＭｂが正立した状態で配置されている。区分領域ＲＧ３は、画像ＩＭｃが割り付けられた区分領域となっている。区分領域ＲＧ３の画像領域ＩＲには画像ＩＭｃが倒立した状態で配置されている。区分領域ＲＧ４は、画像ＩＭｄが割り付けられた区分領域となっている。区分領域ＲＧ４の画像領域ＩＲには画像ＩＭｄが倒立した状態で配置されている。
【００５７】
面付けパターンＰＡ２に目を向けると、区分領域ＲＧ１は、画像ＩＭａが割り付けられた区分領域となっている。区分領域ＲＧ１の画像領域ＩＲには画像ＩＭａが正立した状態で配置されている。区分領域ＲＧ２は、画像ＩＭｂが割り付けられた区分領域となっている。区分領域ＲＧ２の画像領域ＩＲには画像ＩＭｂが正立した状態で配置されている。区分領域ＲＧ３は、画像ＩＭｃが割り付けられた区分領域となっている。区分領域ＲＧ３の画像領域ＩＲには画像ＩＭｃが倒立した状態で配置されている。区分領域ＲＧ４は、画像ＩＭａが割り付けられた区分領域となっている。区分領域ＲＧ４の画像領域ＩＲには画像ＩＭａが倒立した状態で配置されている。
【００５８】
面付けパターンＰＡ３に目を向けると、区分領域ＲＧ１は、画像ＩＭａが割り付けられた区分領域となっている。区分領域ＲＧ１の画像領域ＩＲには画像ＩＭａが正立した状態で配置されている。区分領域ＲＧ２は、画像ＩＭｂが割り付けられた区分領域となっている。区分領域ＲＧ２の画像領域ＩＲには画像ＩＭｂが正立した状態で配置されている。区分領域ＲＧ３は、画像ＩＭｂが割り付けられた区分領域となっている。区分領域ＲＧ３の画像領域ＩＲには画像ＩＭｂが倒立した状態で配置されている。区分領域ＲＧ４は、画像ＩＭａが割り付けられた区分領域となっている。区分領域ＲＧ４の画像領域ＩＲには画像ＩＭａが倒立した状態で配置されている。
【００５９】
ここでは、仮にＭＦＰ１００が、面付けパターンＰＡ１を含む画像を表面に印刷した用紙を５０部出力し、面付けパターンＰＡ２を含む画像を表面に印刷した用紙を３０部出力し、面付けパターンＰＡ３を含む画像を表面に印刷した用紙を２０部出力する（合計１００部出力する）場合を想定する。
【００６０】
図４は、本発明の第１の実施の形態における面付けパターンＰＡ１の断裁予定位置を示す図である。
【００６１】
図４を参照して、ユーザーは、面付けパターンＰＡ１を印刷した用紙、面付けパターンＰＡ２を印刷した用紙、および面付けパターンＰＡ３を印刷した用紙の各々を、断裁予定位置である線ＬＮ１およびＬＮ２で断裁することにより、区分領域ＲＧ１、ＲＧ２、ＲＧ３、およびＲＧ４に分離する。線ＬＮ１は用紙の短辺に平行に（図４中横方向に）延在しており、線ＬＮ２は用紙の長辺に平行に（図４中縦方向に）延在している。線ＬＮ１と線ＬＮ２とは互いに直行している。
【００６２】
次にユーザーは、分離した区分領域ＲＧ１、ＲＧ２、ＲＧ３、およびＲＧ４の各々において、画像領域ＩＲと外周領域ＰＲとの境界の断裁予定位置である線ＬＮ３で断裁する。このように複数の画像を１枚の用紙に纏めて印刷し、印刷後に用紙を断裁することより、ユーザーは、印刷する用紙の部数を抑えつつ、所望の部数の画像ＩＭａ、ＩＭｂ、ＩＭｃ、およびＩＭｄを得ることができる。
【００６３】
ところで、複数の印刷ジョブの各々の印刷部数がいずれも同じである場合には、ユーザーは、断裁予定線で断裁するだけでそれぞれの印刷ジョブの画像に仕分けることが可能である。しかし、上述のように複数の印刷ジョブＪＡ、ＪＢ、ＪＣ、およびＪＤの各々の印刷部数が互いに異なる場合には、面付けパターンＰＡ１、ＰＡ２、およびＰＡ３の画像を用紙に印刷し、断裁予定位置である線ＬＮ１またはＬＮ２で用紙を断裁した後で、画像ＩＭａ、ＩＭｂ、ＩＭｃ、およびＩＭｄの各々が印刷された用紙を仕分ける必要がある。通常、仕分けの際には、面付けパターンＰＡ１を印刷した用紙、面付けパターンＰＡ２を印刷した用紙、および面付けパターンＰＡ３を印刷した用紙は、積み重ねられた状態で存在している。このため、上述の想定の下では、ユーザーは、用紙を１枚ずつめくりながら印刷された画像を目視することにより、画像ＩＭａ、ＩＭｂ、ＩＭｃ、およびＩＭｄの各々が印刷された用紙を仕分ける必要があり、作業が煩雑となる。
【００６４】
そこで、本実施の形態におけるＭＦＰ１００は、面付けパターンＰＡ１、ＰＡ２、およびＰＡ３の断裁予定位置に対して、複数種類の画像ＩＭａ、ＩＭｂ、ＩＭｃ、およびＩＭｄの各々に対応するマークを配置（付与）する。
【００６５】
図５は、本発明の第１の実施の形態における画像ＩＭａ、ＩＭｂ、ＩＭｃ、およびＩＭｄの各々に対応するマークを示す図である。
【００６６】
図５を参照して、本実施の形態では、画像ＩＭａが配置される区分領域には、画像ＩＭａに対応するマークＭＫａが配置される。マークＭＫａは、細い１本の横線で構成されている。画像ＩＭｂが配置される区分領域には、画像ＩＭｂに対応するマークＭＫｂが配置される。マークＭＫｂは、細い２本の横線で構成されている。画像ＩＭｃが配置される区分領域には、画像ＩＭｃに対応するマークＭＫｃが配置される。マークＭＫｃは、細い３本の横線で構成されている。画像ＩＭｄが配置される区分領域には、画像ＩＭｄに対応するマークＭＫｄが配置される。マークＭＫｄは、太い１本の横線で構成されている。
【００６７】
図６は、本発明の第１の実施の形態において、マークが配置された後の面付けパターンＰＡ１ａ、ＰＡ２ａ、およびＰＡ３ａを模式的に示す図である。面付けパターンＰＡ１ａは面付けパターンＰＡ１にマークが配置されたものであり、面付けパターンＰＡ２ａは面付けパターンＰＡ２にマークが配置されたものであり、面付けパターンＰＡ３ａは面付けパターンＰＡ３にマークが配置されたものである。
【００６８】
図５および図６を参照して、マークＭＫａ、ＭＫｂ、ＭＫｃ、およびＭＫｄの各々は、マークＭＫａ、ＭＫｂ、ＭＫｃ、およびＭＫｄの各々が配置される区分領域における外周領域ＰＲの略同一の位置に配置されている。マークＭＫａ、ＭＫｂ、ＭＫｃ、およびＭＫｄの各々は、マークＭＫａ、ＭＫｂ、ＭＫｃ、およびＭＫｄの各々が配置される区分領域から、線ＬＮ２を跨いでその区分領域と隣接する別の区分領域に到達している。
【００６９】
具体的には、図６に示す面付けパターンＰＡ１ａでは、マークＭＫａは、画像ＩＭａが正立した状態で見た場合の区分領域ＲＧ１内の外周領域ＰＲの右上の位置に配置されており、区分領域ＲＧ１から線ＬＮ２を跨いで隣接する区分領域ＲＧ３に到達している。マークＭＫｂは、画像ＩＭｂが正立した状態で見た場合の区分領域ＲＧ２内の外周領域ＰＲの右上の位置に配置されており、区分領域ＲＧ２から線ＬＮ２を跨いで隣接する区分領域ＲＧ４に到達している。マークＭＫｃは、画像ＩＭｃが正立した状態で見た場合の区分領域ＲＧ３内の外周領域ＰＲの右上の位置に配置されており、区分領域ＲＧ３から線ＬＮ２を跨いで隣接する区分領域ＲＧ１に到達している。マークＭＫｄは、画像ＩＭｄが正立した状態で見た場合の区分領域ＲＧ４内の外周領域ＰＲの右上の位置に配置されており、区分領域ＲＧ４から線ＬＮ２を跨いで隣接する区分領域ＲＧ２に到達している。
【００７０】
また、マークを区分領域における略同一の位置に配置し、用紙上の一方の側に面付けする画像を正立させ、用紙上の他方の側に面付けする画像を倒立させることにより、正立した画像に付与するマークと、倒立した画像に付与するマークとが同一の断裁予定位置上に配置される。
【００７１】
具体的には、面付けパターンＰＡ１ａでは、マークＭＫａ、ＭＫｂ、ＭＫｃ、およびＭＫｄの各々を、画像が正立した状態で見た場合の区分領域内の右上の略同一の位置に配置し、用紙上の用紙面内左側に面付けする画像ＩＭａおよびＩＭｂを正立させ、用紙上の用紙面内右側に面付けする画像ＩＭｃおよびＩＭｄを倒立させることにより、マークＭＫａ、ＭＫｂ、ＭＫｃ、およびＭＫｄが線ＬＮ２上に配置される。これにより、線ＬＮ２での断裁によって現れた用紙の新たな辺が、区分領域ＲＧ１、ＲＧ２、ＲＧ３、およびＲＧ４の各々における同じ位置（画像が正立した状態で見た場合の右辺）となり、マークの印刷位置が面付けパターンを印刷した用紙の端部以外の部分となる。その結果、印刷が容易になり（用紙の端部への印刷が不可能な印刷装置でも印刷可能となり）、印刷後の用紙の仕分けも容易になる。
【００７２】
なお、マークは、任意の断裁予定位置に設けられればよく、上述のように用紙の表面（画像が印刷される方の面）内の断裁予定位置に配置されてもよいし、用紙の裏面（画像が印刷されない方の面）内の断裁予定位置に配置されてもよいし、用紙の表面内および裏面内の両方の断裁予定位置に配置されてもよい。また、マークは、対応する画像の種類によって、位置、色、形状、および存在の有無のうち少なくともいずれか１つが異なるものであればよい。
【００７３】
ＭＦＰ１００は、面付けパターンＰＡ１ａの画像を用紙に形成し、印刷した用紙を５０部出力する。ＭＦＰ１００は、面付けパターンＰＡ２ａの画像を用紙に形成し、印刷した用紙を３０部出力する。ＭＦＰ１００は、面付けパターンＰＡ３ａの画像を用紙に形成し、印刷した用紙を２０部出力する（合計１００部出力する）。
【００７４】
図７は、本発明の第１の実施の形態において、面付けパターンＰＡ１ａが印刷された用紙ＳＨ１、面付けパターンＰＡ２ａが印刷された用紙ＳＨ２、および面付けパターンＰＡ３ａが印刷された用紙ＳＨ３を積み重ねた状態で、線ＬＮ２で断裁したものの断裁面を示す図である。図７（ａ）は、線ＬＮ２の用紙面内左側に存在する画像が印刷された用紙を積み重ねたものの断裁面である。図７（ｂ）は、線ＬＮ２の用紙面内右側に存在する画像が印刷された用紙を積み重ねたものの断裁面である。図７中の用紙面内上側とは、図６中上側を意味している。図７では、説明の便宜のため、画像ＩＭａが印刷された用紙に「Ａ」の文字を付しており、画像ＩＭｂが印刷された用紙に「Ｂ」の文字を付しており、画像ＩＭｃが印刷された用紙に「Ｃ」の文字を付しており、画像ＩＭｄが印刷された用紙に「Ｄ」の文字を付している。
【００７５】
図７を参照して、面付けパターンＰＡ１ａが印刷された用紙ＳＨ１と、面付けパターンＰＡ２ａが印刷された用紙ＳＨ２と、面付けパターンＰＡ３ａが印刷された用紙ＳＨ３とは、断裁面に現れるパターンによって仕分けることができる。このパターンは、付与されたマークに起因するものである。
【００７６】
図７（ａ）における用紙面内上側端部の位置ＰＯ１の断裁面には、マークＭＫａに起因する１本の細い線のパターンが積み重ねられた用紙全体に現れる。これにより、図７（ａ）の用紙の束における用紙面内上側には、画像ＩＭａが印刷された用紙が存在していることが目視にて判別可能となる。
【００７７】
図７（ａ）における線ＬＮ１付近であって線ＬＮ１よりも用紙面内下側の位置ＰＯ２の断裁面には、マークＭＫｂに起因する２本の細い線のパターンが積み重ねられた用紙全体に現れる。これにより、図７（ａ）の用紙の束における用紙面内下側には、画像ＩＭｂが印刷された用紙が存在していることが目視にて判別可能となる。
【００７８】
したがって、図７（ａ）の用紙の束には、用紙面内上側に画像ＩＭａが印刷されており、用紙面内下側に画像ＩＭｂが印刷されていることが目視にて判別可能となる。
【００７９】
図７（ｂ）における線ＬＮ１付近であって線ＬＮ１よりも用紙面内上側の位置ＰＯ３の断裁面には、マークＭＫｃに起因する３本の細い線のパターンと、マークＭＫｂに起因する２本の細い線のパターンとが現れる。マークＭＫｃに起因する３本の細い線のパターンは、マークＭＫｂに起因する２本の細い線のパターンの厚さ方向上側に現れる。したがって、図７（ｂ）の用紙の束における用紙面内上側には、画像ＩＭｂが印刷された用紙と画像ＩＭｃが印刷された用紙とが存在しており、画像ＩＭｃが印刷された用紙は、境界線ＢＬ１を境界として画像ＩＭｂが印刷された用紙の上に積み重ねられていることが目視にて判別可能となる。
【００８０】
図７（ｂ）における用紙面内下側端部の位置ＰＯ４の断裁面には、マークＭＫｄに起因する１本の太い線のパターンと、マークＭＫａに起因する１本の細い線のパターンとが現れる。マークＭＫｄに起因する１本の太い線のパターンは、マークＭＫａに起因する１本の細い線のパターンの厚さ方向上側に現れる。したがって、図７（ｂ）の用紙の束における用紙面内下側には、画像ＩＭｄが印刷された用紙と画像ＩＭａが印刷された用紙とが存在しており、画像ＩＭｄが印刷された用紙は、境界線ＢＬ２を境界として画像ＩＭａが印刷された用紙の上に積み重ねられていることが目視にて判別可能となる。
【００８１】
言い換えれば、図７（ｂ）の用紙の束の最下部には、用紙面内上側に画像ＩＭｂが印刷され、用紙面内下側に画像ＩＭａが印刷された用紙ＳＨ３が存在することが目視にて判別可能となる。図７（ｂ）の用紙の束の境界線ＢＬ１とＢＬ２との間には、用紙面内上側に画像ＩＭｃが印刷され、用紙面内下側に画像ＩＭａが印刷された用紙ＳＨ２が存在することが目視にて判別可能となる。図７（ｂ）の用紙の束の境界線ＢＬ２よりも上部には、用紙面内上側に画像ＩＭｃが印刷され、用紙面内下側に画像ＩＭｄが印刷された用紙ＳＨ１が存在することが目視にて判別可能となる。
【００８２】
［第２の実施の形態］
本実施の形態におけるＭＦＰ１００は、面付けパターンＰＡ１ｂ、ＰＡ２ｂ、およびＰＡ３ｂを作成する。面付けパターンＰＡ１ｂ、ＰＡ２ｂ、およびＰＡ３ｂは、面付けパターンＰＡ１ａ、ＰＡ２ａ、およびＰＡ３ａの各々に対してさらに画像ＩＭｂ、ＩＭｃ、およびＩＭｄの各々に対応するマークＭＬｂ、ＭＬｃ、およびＭＬｄの各々をトンボ上に配置（付加）したものである。トンボとは、外周領域ＰＲから画像領域ＩＲを断裁により切り離すための断裁予定位置を示すために、外周領域ＰＲに設けられる指標である。
【００８３】
図８は、本発明の第２の実施の形態において、トンボ上にマークが配置された後の面付けパターンＰＡ１ｂを模式的に示す図である。なお、図８中線ＬＮ１１およびＬＮ１２は、トンボで示された断裁予定位置の一部である。
【００８４】
図８を参照して、画像ＩＭａが割り付けられた区分領域ＲＧ１内には、画像領域ＩＲと外周領域ＰＲとの境界の断裁予定位置を示すトンボとして、用紙面内上下方向に断裁する断裁予定位置を示すトンボＲＭ１ａと、用紙面内左右方向に断裁する断裁予定位置を示すトンボＲＭ１ｂとが記載されている。トンボＲＭ１ａおよびＲＭ１ｂの各々には、マークは配置されていない。画像ＩＭａは、トンボ上にマーク存在していないことで、他の画像とは区別される。
【００８５】
画像ＩＭｂが割り付けられた区分領域ＲＧ２内には、画像領域ＩＲと外周領域ＰＲとの境界の断裁予定位置を示すトンボとして、用紙面内上下方向に断裁する断裁予定位置を示すトンボＲＭ２ａと、用紙面内左右方向に断裁する断裁予定位置を示すトンボＲＭ２ｂとが記載されている。トンボＲＭ２ａおよびＲＭ２ｂの各々にはマークＭＬｂが配置されている。マークＭＬｂは、１本の太線で構成されている。言い換えれば、マークＭＬｂは、トンボＲＭ２ａおよびＲＭ２ｂの各々の一箇所が太くされたものである。
【００８６】
画像ＩＭｃが割り付けられた区分領域ＲＧ３内には、画像領域ＩＲと外周領域ＰＲとの境界の断裁予定位置を示すトンボとして、用紙面内上下方向に断裁する断裁予定位置を示すトンボＲＭ３ａと、用紙面内左右方向に断裁する断裁予定位置を示すトンボＲＭ３ｂとが記載されている。トンボＲＭ３ａおよびＲＭ３ｂの各々にはマークＭＬｃが配置されている。マークＭＬｃは、２本の線で構成されている。言い換えれば、マークＭＬｃは、トンボＲＭ３ａおよびＲＭ３ｂの各々の二箇所が太くされたものである。
【００８７】
画像ＩＭｄが割り付けられた区分領域ＲＧ４内には、画像領域ＩＲと外周領域ＰＲとの境界の断裁予定位置を示すトンボとして、用紙面内上下方向に断裁する断裁予定位置を示すトンボＲＭ４ａと、用紙面内左右方向に断裁する断裁予定位置を示すトンボＲＭ４ｂとが記載されている。トンボＲＭ４ａおよびＲＭ４ｂの各々にはマークＭＬｄが配置されている。マークＭＬｄは、３本の線で構成されている。言い換えれば、マークＭＬｄは、トンボＲＭ４ａおよびＲＭ４ｂの各々の三箇所が太くされたものである。
【００８８】
上述のように、用紙面内上下方向に断裁する断裁予定位置を示すトンボＲＭ２ａ、ＲＭ３ａ、およびＲＭ４ａと、用紙面内左右方向に断裁する断裁予定位置を示すトンボＲＭ２ｂ、ＲＭ３ｂ、およびＲＭ４ｂとの両方にマークを配置することにより、先にどちらの方向の断裁予定位置で断裁しても、用紙の断裁面に現れるマークに基づいて画像の種類を判断可能となる。
【００８９】
面付けパターンＰＡ２ｂおよびＰＡ３ｂの各々は、ここでは図示しないが、面付けパターンＰＡ１ｂと同様に、面付けパターンＰＡ２ａおよびＰＡ３ｂの各々に対して、さらにマークＭＫｂおよびＭＫｃ（またはマークＭＫｂ）がトンボ上の適切な位置に配置されたものである。
【００９０】
図９は、本発明の第２の実施の形態において、面付けパターンＰＡ１ｂを印刷した後、線ＬＮ１およびＬＮ用紙を積み重ねた状態で、図８中線ＬＮ１１およびＬＮ１２で断裁したものの断裁面を示す図である。図９（ａ）は、図８中線ＬＮ１１で断裁したものの断裁面を示す図である。図９（ｂ）は、図８中線ＬＮ１２で断裁したものの断裁面を示す図である。図９中の用紙面内上側とは、図８中上側を意味している。図９では、説明の便宜のため、画像ＩＭａが印刷された用紙に「Ａ」の文字を付しており、画像ＩＭｂが印刷された用紙に「Ｂ」の文字を付しており、画像ＩＭｃが印刷された用紙に「Ｃ」の文字を付しており、画像ＩＭｄが印刷された用紙に「Ｄ」の文字を付している。
【００９１】
図９を参照して、画像ＩＭａが印刷された用紙と、画像ＩＭｂが印刷された用紙と、画像ＩＭｃが印刷された用紙と、画像ＩＭｄの印刷された用紙とは、断裁面に現れるパターンによって仕分けることができる。
【００９２】
図９（ａ）における用紙面内上側端部の位置ＰＯ１１ａ、および線ＬＮ１付近であって線ＬＮ１よりも用紙面内上側の位置ＰＯ１１ｂの断裁面には、マークに起因するパターンは現れない。これにより、図９（ａ）の用紙の束における用紙面内上側には、画像ＩＭａが印刷された用紙が存在していることが目視にて判別可能となる。
【００９３】
図９（ａ）における用紙面内下側端部の位置ＰＯ１２ａ、および線ＬＮ１付近であって線ＬＮ１よりも用紙面内下側の位置ＰＯ１２ｂの断裁面には、それぞれマークＭＬｂに起因する１本の線のパターンが現れる。これにより、図９（ａ）の用紙の束における用紙面内下側には、画像ＩＭｂが印刷された用紙が存在していることが目視にて判別可能となる。
【００９４】
図９（ｂ）における用紙面内上側端部の位置ＰＯ１３ａ、および線ＬＮ１付近であって線ＬＮ１よりも用紙面内上側の位置ＰＯ１３ｂの断裁面には、それぞれマークＭＬｃに起因する２本の線のパターンが現れる。これにより、図９（ｂ）の用紙の束における用紙面内上側には、画像ＩＭｃが印刷された用紙が存在していることが目視にて判別可能となる。
【００９５】
図９（ｂ）における用紙面内下側端部の位置ＰＯ１４ａ、および線ＬＮ１付近であって線ＬＮ１よりも用紙面内下側の位置ＰＯ１４ｂの断裁面には、それぞれマークＭＬｄに起因する３本の線のパターンが現れる。これにより、図９（ｂ）の用紙の束における用紙面内下側には、画像ＩＭｄが印刷された用紙が存在していることが目視にて判別可能となる。
【００９６】
なお、ＭＦＰ１００の構成および上述以外の動作については、第１の実施の形態の場合と同様であるため、その説明は繰り返さない。
【００９７】
［第３の実施の形態］
本実施の形態におけるＭＦＰ１００は、所定の時間内に複数の印刷ジョブＪＡ、ＪＢ、ＪＣ、およびＪＤを受け付けた場合、複数の印刷ジョブＪＡ、ＪＢ、ＪＣ、およびＪＤの画像ＩＭａ、ＩＭｂ、ＩＭｃ、およびＩＭｄの各々を、１枚の用紙に１つずつ割り付ける面付け処理を行う。
【００９８】
図１０は、本発明の第３の実施の形態において、画像ＩＭａ、ＩＭｂ、ＩＭｃ、およびＩＭｄを用紙に面付けることにより作成された面付けパターンＰＡ１１、ＰＡ１２、ＰＡ１３、およびＰＡ１４を示す図である。
【００９９】
図１０を参照して、面付けパターンＰＡ１１、ＰＡ１２、ＰＡ１３、およびＰＡ１４の各々は、画像を形成するための領域である１つのみの区分領域を有している。
【０１００】
ＭＦＰ１００は、面付けパターンＰＡ１１として、図８における画像ＩＭａと、トンボＲＭ１ａおよび１ｂとを配置したものを作成する。ＭＦＰ１００は、面付けパターンＰＡ１２として、図８における画像ＩＭｂと、トンボＲＭ２ａおよび２ｂと、マークＭＬｂとを配置したものを作成する。ＭＦＰ１００は、面付けパターンＰＡ１３として、図８における画像ＩＭｃと、トンボＲＭ３ａおよび３ｂと、マークＭＬｃとを配置したものを作成する。ＭＦＰ１００は、面付けパターンＰＡ１４として、図８における画像ＩＭｄと、トンボＲＭ４ａおよび４ｂと、マークＭＬｄとを配置したものを作成する。
【０１０１】
ＭＦＰ１００は、面付けパターンＰＡ１１を含む画像を表面に印刷した用紙を１５０部出力し、面付けパターンＰＡ１２を含む画像を表面に印刷した用紙を１２０部出力し、面付けパターンＰＡ１３を含む画像を表面に印刷した用紙を８０部出力し、面付けパターンＰＡ１４を含む画像を表面に印刷した用紙を５０部出力する（合計４００部出力する）。
【０１０２】
なお、ＭＦＰ１００の構成および上述以外の動作については、第１の実施の形態の場合と同様であるため、その説明は繰り返さない。
【０１０３】
［第４の実施の形態］
本実施の形態では、第１〜第３の実施の形態におけるＭＦＰ１００の動作のフローチャートについて説明する。
【０１０４】
図１１は、第１〜第３の実施の形態におけるＭＦＰ１００の動作のフローチャートである。
【０１０５】
図１１を参照して、ＣＰＵ１０１は、所定時間内に印刷ジョブの追加（入力）を受け付けたか否かを判別する（Ｓ１）。
【０１０６】
ステップＳ１において、所定時間内に印刷ジョブの追加（入力）を受け付けたと判別した場合（Ｓ１でＹＥＳ）、ＣＰＵ１０１は、受け付けた印刷ジョブの印刷部数の入力を受け付け（Ｓ３）、ステップＳ１の処理へ進む。
【０１０７】
ステップＳ１において、所定時間内に印刷ジョブの追加（入力）を受け付けないと判別した場合（Ｓ１でＮＯ）、ＣＰＵ１０１は、受け付けた印刷ジョブの画像の面付け処理を行う（Ｓ５）。面付け処理では、面付けパターンが作成され、用紙の各ページに印刷する面付けパターンが決定される。たとえば第１および第２の実施の形態の場合には、ステップＳ５では、１ページ目〜５０ページ目の用紙に面付けパターンＰＡ１を印刷することが決定され、５１ページ目〜８０ページ目の用紙に面付けパターンＰＡ２を印刷することが決定され、８１ページ目〜１００ページ目の用紙に面付けパターンＰＡ３を印刷することが決定される。
【０１０８】
続いてＣＰＵ１０１は、変数Ｎを１に設定し（Ｓ７）、Ｎページ目の用紙に対して面付けパターンの描画を行う（Ｓ９）。次にＣＰＵ１０１は、Ｎページ目の用紙における断裁予定位置を決定（計算）する（Ｓ１１）、たとえば第１の実施の形態の場合には、ステップＳ１１では、線ＬＮ１、ＬＮ２、およびＬＮ３が決定される。第２の実施の形態の場合には、ステップＳ１１では、線ＬＮ１およびＬＮ２、ならびにトンボＲＭ１ａ、ＲＭ１ｂ、ＲＭ２ａ、ＲＭ２ｂ、ＲＭ３ａ、ＲＭ３ｂ、ＲＭ４ａ、およびＲＭ４ｂの位置が決定される。
【０１０９】
次にＣＰＵ１０１は、Ｎページ目の用紙に描画した画像（第１および第２の実施の形態の場合であって、１ページ目の用紙の画像を描画したときは、画像ＩＭａ、ＩＭｂ、ＩＭｃ、およびＩＭｄ）のうち未選択の画像を１つ選択し（Ｓ１３）、選択した画像に対応するマークを配置（付加）する（Ｓ１５）。
【０１１０】
続いてＣＰＵ１０１は、Ｎページ目の用紙に描画した画像の中に未選択の画像があるか否かを判別する（Ｓ１７）。
【０１１１】
ステップＳ１７において、Ｎページ目の用紙に描画した画像の中に未選択の画像があると判別した場合（Ｓ１７でＹＥＳ）、ＣＰＵ１０１は、ステップＳ１３の処理に進み、未選択の画像を選択する。
【０１１２】
ステップＳ１７において、Ｎページ目の用紙に描画した画像の中に未選択の画像が無いと判別した場合（Ｓ１７でＮＯ）、ＣＰＵ１０１は、面付けパターンが割り当てられた次ページ（（Ｎ＋１）ページ目）の用紙があるか否かを判別する（Ｓ１９）。
【０１１３】
ステップＳ１９において、面付けパターンが割り当てられた次ページの用紙があると判別した場合（Ｓ１９でＹＥＳ）、ＣＰＵ１０１は、変数Ｎをインクリメントし（Ｓ２１）、ステップＳ９の処理へ進む。
【０１１４】
ステップＳ２１において、面付けパターンが割り当てられた次ページの用紙が無いと判別した場合（Ｓ１９でＮＯ）、ＣＰＵ１０１は印刷を行い（Ｓ２３）、処理を終了する。
【０１１５】
［実施の形態の効果］
上述の実施の形態によれば、断裁後に仕分けを行う際に、用紙の端面（断裁面）に現れるマークに基づいて画像の種類を判断可能となるので、断裁後の用紙の仕分けを容易に行うことができる。
【０１１６】
第２の実施の形態によれば、トンボ上にマークを配置することにより、最終断裁の直前まで用紙の端面に現れるマークに基づいて画像の種類を判断可能となり、またトンボ上のマークは最終的な断裁の際に画像から全て除去される。これにより、用紙に形成する画像に対して悪影響を与えずに最終断裁の際にも用紙の仕分けを容易に行うことができる。
【０１１７】
第３の実施の形態によれば、それぞれの区分領域に断裁する作業が省略できるので、断裁作業を簡略化することができる。
【０１１８】
［その他］
第２の実施の形態において、区分領域を分離するための断裁予定位置である線ＬＮ１およびＬＮ２上にはマークが設けられなくてもよい。
【０１１９】
本発明では、画像処理装置がマークを付与した面付けパターンを作成する処理を行い、作成した面付けパターンを画像形成装置に送信するようにしてもよい。
【０１２０】
上述の実施の形態における処理は、ソフトウェアにより行っても、ハードウェア回路を用いて行ってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１２１】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２２】
１００  ＭＦＰ（Ｍｕｌｔｉｆｕｎｃｔｉｏｎ  Ｐｅｒｉｐｈｅｒａｌ）（画像処理装置および画像形成装置の一例）
１０１  ＣＰＵ（Ｃｅｎｔｒａｌ  Ｐｒｏｃｅｓｓｉｎｇ  Ｕｎｉｔ）
１０２  ＲＯＭ（Ｒｅａｄ  Ｏｎｌｙ  Ｍｅｍｏｒｙ）
１０３  ＲＡＭ（Ｒａｎｄｏｍ  Ａｃｃｅｓｓ  Ｍｅｍｏｒｙ）
１０４  画像読取部
１０５  ネットワークインターフェース
１０６  操作パネル
１０７  補助記憶装置
１０８  画像形成部（画像形成手段の一例）
１０９  画像処理部
１０９ａ  面付け部（面付け手段の一例）
１０９ｂ  マーク付与部（配置手段の一例）
ＢＬ１，ＢＬ２  境界線
ＩＭａ，ＩＭｂ，ＩＭｃ，ＩＭｄ  画像
ＩＲ  画像領域
ＬＮ１，ＬＮ２，ＬＮ３，ＬＮ１１，ＬＮ１２  断裁予定位置を示す線
ＭＫａ，ＭＫｂ，ＭＫｃ，ＭＫｄ，ＭＬｂ，ＭＬｃ，ＭＬｄ  マーク
ＰＡ１，ＰＡ１ａ，ＰＡ１ｂ，ＰＡ２，ＰＡ２ａ，ＰＡ２ｂ，ＰＡ３，ＰＡ３ａ，ＰＡ３ｂ，ＰＡ１１，ＰＡ１２，ＰＡ１３，ＰＡ１４，  面付けパターン
ＰＯ１，ＰＯ２，ＰＯ３，ＰＯ４，ＰＯ１１ａ，ＰＯ１１ｂ，ＰＯ１２ａ，ＰＯ１２ｂ，ＰＯ１３ａ，ＰＯ１３ｂ，ＰＯ１４ａ，ＰＯ１４ｂ  用紙の位置
ＰＲ  外周領域
ＲＧ１，ＲＧ２，ＲＧ３，ＲＧ４  区分領域
ＲＭ１ａ，ＲＭ１ｂ，ＲＭ２ａ，ＲＭ２ｂ，ＲＭ３ａ，ＲＭ３ｂ，ＲＭ４ａ，ＲＭ４ｂ  トンボ
ＳＨ１，ＳＨ２，ＳＨ３  用紙
【図１】
2018126891.tif 000003
【図２】
2018126891.tif 000004
【図３】
2018126891.tif 000005
【図４】
2018126891.tif 000006
【図５】
2018126891.tif 000007
【図６】
2018126891.tif 000008
【図７】
2018126891.tif 000009
【図８】
2018126891.tif 000010
【図９】
2018126891.tif 000011
【図１０】
2018126891.tif 000012
【図１１】
2018126891.tif 000013